(57)【要約】【課題】列車の車両内の複数の表示器に車両のドア位置ごとに有用な情報を限定して表示可能な列車情報表示システムを提供する。【解決手段】駅のホームごとの階段位置を記憶部３０の階段位置データベース３１に記憶した情報と、列車のホーム上の現在位置を検出する位置検出部４１及び速度を検出する速度検出部４２を備えた現在位置認識部４０からの情報が照合される。ドア位置判定部６１で判定したホーム上のドア位置に応じて、各ドア上部に設置した表示部２０に、最寄りの階段位置等の案内情報が限定して表示される。【選択図】図１
2007283991.tif 000002
【特許請求の範囲】
【請求項１】
列車の現在位置を認識する現在位置認識手段と、
駅構内ホームに設けられている駅設備の設備位置と前記列車の車両内ドア位置の情報を記憶する記憶手段と、
前記現在位置認識手段によって認識された前記列車の前記現在位置、並びに前記記憶手段から読み込まれた前記駅構内ホームにおける前記設備位置及び前記列車の前記車両内ドア位置に基づいて、前記ドア位置に応じた固有の前記駅設備情報を定める制御手段と、
前記ドア位置に応じて前記車両に設けられており且つ前記制御手段が定めた前記固有の駅設備情報を表示可能な表示手段と
を備えていることから成る列車情報表示システム。
【請求項２】
前記記憶手段は、前記前記駅構内ホームの前記設備位置についての情報を設備位置データベースとして保持し、前記列車の前記車両内ドア位置についての情報をドア位置データベースとして保持していることから成る請求項１に記載の列車情報表示システム。
【請求項３】
前記列車の前記車両内ドア位置についての前記情報を設定する入力手段を更に備えていることから成る請求項２に記載の列車情報表示システム。
【請求項４】
前記列車が駅に到着した時に、前記表示手段で車両内の表示器に表示することを特徴とする請求項１〜３のいずれか１項に記載の列車情報表示システム。
【請求項５】
前記駅設備は、階段、エスカレータ、エレベータ等の移動用設備であることから成る請求項１〜４のいずれか１項に記載の列車情報表示システム。
【請求項６】
前記制御手段は、前記ドア位置に応じて、前記駅設備の情報に加えて駅周辺情報も合わせて定めることから成る請求項１〜５のいずれか１項に記載の列車情報表示システム。
【発明の詳細な説明】
【技術分野】
【０００１】
本発明は、列車の各号車やドア毎に設けられ、車両内の各種情報を表示する車両情報表示システムに関する。
【背景技術】
【０００２】
列車においては、車両内や駅構内の各種情報を車両内の液晶表示器（ＬＣＤ）に表示するシステムが知られている。最近の車両には数カ所に液晶等の薄型パネルによる表示手段が配設されており、停車駅、次停車駅、路線情報、運転情報、乗換え案内、コマーシャル等の表示がなされている。また、特許文献１には、車両の位置によって映像装置毎に異なった表示内容にする鉄道車両情報表示システムが記載されている。更に、特許文献２には、複数の情報を別の表示手段に表示する車両内情報システムが記載されている。
【特許文献１】特開２００３−９５１０５号公報
【特許文献２】特開２００４−７０２５４号公報
【発明の開示】
【発明が解決しようとする課題】
【０００３】
鉄道を利用する乗客へのサービス向上の一環として、列車の車両内や駅構内の各種情報を列車内の情報表示位置に表示したいという要望がある。上記の特許文献１に記載の鉄道車両情報表示システムと特許文献２に記載の車両内情報システムの表示画面には、車両の編成全体構成とホーム全体の情報が表示されている。これらは、車両全体の多くの情報を表示するため、特に１編成の号車数が増えた場合、各号車、ドア毎の情報表示エリアが小さくなる。その結果、表示エリアに表示される文字サイズが小さくなり、乗客が見づらいという問題がある。
【０００４】
そこで、列車情報表示システムでは、各号車、ドアごとに表示する情報（内容）を当該号車やドアを利用する乗客に必要な情報に限定することで、乗客が見やすくする点で解決すべき課題がある。
【０００５】
本発明の目的は、情報表示エリアにおいて当該車両に乗車している乗客にとって、各号車、ドア毎での固有の駅構内情報のような各種情報が見やすい列車情報表示システムを提供することである。
【課題を解決するための手段】
【０００６】
上記課題を解決するために、本発明にかかる列車情報表示システムは、列車の現在位置を認識する現在位置認識手段と、駅構内ホームに設けられている駅設備の設備位置と前記列車の車両内ドア位置の情報を記憶する記憶手段と、前記現在位置認識手段によって認識された前記列車の前記現在位置、並びに前記記憶手段から読み込まれた前記駅構内ホームにおける前記設備位置及び前記列車の前記車両内ドア位置に基づいて、前記ドア位置に応じた固有の前記駅設備情報を定める制御手段と、前記ドア位置に応じて前記車両に設けられており且つ前記制御手段が定めた前記固有の駅設備情報を表示可能な表示手段とを備えていることから成っている。
【０００７】
この列車情報表示システムによれば、ドアの表示が列車で一律ではなく、車両毎に或いはドア毎に、乗客等のユーザが求めるであろう駅設備情報に合わせて表示内容を変更している。したがって、表示内容を大きなサイズの文字で表示すること、或いは画像についても小型化過ぎることなく大きな表示領域を用いて表示することが可能となるので、乗客のニーズに応じた駅構内情報を表示手段に的確に表示することができる。
【０００８】
上記の列車情報表示システムにおいて、この列車情報表示システムによれば、例えば乗換えの案内については、駅構内ホームに設けられている駅設備としての階段、エスカレータ、エレベータ等の移動用設備についての記憶手段に記憶されている情報と、現在位置認識部において認識されている各ドアのホーム上の現在位置についての情報とを照合し、照合結果に基づいて、当該乗換え用の設備の案内が各ドア上部に設置した表示手段に表示される。
【発明の効果】
【０００９】
本発明によれば、列車内のドア位置に応じて設けられる表示手段に、号車或いはドア位置に応じて、きめ細かな乗換え等の駅構内の設備情報を見やすく表示可能な列車情報表示システムを提供することができる。
【発明を実施するための最良の形態】
【００１０】
以下、本発明による列車情報表示システムの一実施形態について、図面を用いて説明する。
【００１１】
図１は、本発明による列車情報表示システムの実施形態についての機能ブロック図である。図において、当該列車に関する行先設定や列車設定及び列車内の機器を制御する各種指示については、乗務員が入力部（入力手段）１０を操作することで入力を行う。入力された行先設定や、列車設定、列車の現在位置に基づく駅名や駅停車中における乗換え階段案内等の情報は、表示部（表示手段）２０において表示される。各ホームにおいては、駅設備の一つとして階段やエスカレータ又はエレベータ等の移動用設備が設けられているが、記憶部（記憶手段）３０は、ここではその例として、階段が設けられている位置としての階段位置を記憶した階段位置データベースと、列車におけるドア位置を記憶しているドア位置データベース等を保持している。
【００１２】
この列車情報表示システムには、入力部１０や表示部２０等の各部に接続されて、各種制御処理を行う制御部（制御手段）５０が備わっており、制御部５０は、現在位置認識部（現在位置認識手段）４０と案内表示作成部６０とを備えている。現在位置認識部４０は、列車の現在位置を検出する位置検出部４１と、速度を検出する速度検出部４２とを備えている。案内表示作成部６０は、現在のドアの位置を算出するドア位置判定部６１を備えている。
【００１３】
この列車情報表示システムにおいては、列車が駅に到着した際に各ドア上部に設置されている表示部２０に、最寄りの乗換え階段等の案内を表示するが、その表示の態様を以下に説明する。
【００１４】
乗務員が始発駅等で停車中に入力部１０を操作することで、設定された当該列車に関する行先等の情報が入力されるが、それらの情報は記憶部３０に保持される。列車が発車し、列車走行中又は次停車駅に到着したとき、現在位置認識部４０は常に列車自身の位置を位置検出部４１により認識する。また、速度検出部４２は当該列車の実速度を検出する。次停車駅に到着し、列車が停止装置に停止後、列車のドアが開けられる。この際、制御部５０内の現在位置認識部４０が現在位置を認識し、ドア位置判定部６１が当該列車のホームにおけるドア位置の判定を行う。記憶部３０に保持されている階段位置データベース３１とドア位置データベース３２とが検索され、照合される。
【００１５】
案内表示作成部６０により作成された乗換え階段等の案内表示情報は、図６に示すように、各車の各ドア番号１〜６（開閉するドア６１１〜６６１）のドア位置においてドア６１１〜６の６６１上方に設けられている表示部６１０〜６６０（図１では表示部２０）において表示される。これらの情報は、表示部６１０〜６６０のみならず、例えば、設定者（乗務員）用の表示部にも、一覧又は切り替えの態様で表示することができる。
【００１６】
図２は、前述の現在位置認識部（図１に示す符号４０）が行う位置認識の処理ステップをフローチャートに表した図である。先ず、速度検出部（図１に示す符号４２）が検出する速度を取得する（ステップ２１０。Ｓ２１０と略す。以下同じ）。Ｓ２１０で検出された速度が０ｋｍ／ｈであるか否かを判定する（Ｓ２２０）。Ｓ２２０の判定において、速度が０ｋｍ／ｈでない、即ち、列車が走行中である場合は、駅到着後に案内表示を行うタイミングでないと判断し、何も行わないで終了する。Ｓ２２０の判定において、速度が０ｋｍ／ｈの場合は、位置検出部４１から現在位置を取得する（Ｓ２３０）。取得した現在位置は、ホーム上の所定の位置であるとする。その現在位置に基づいて、階段位置データベース（図１の符号３１）を検索する（Ｓ２４０）。そして、各車のドア毎の最寄り階段を特定する（Ｓ２５０）。
【００１７】
図３は、前述の階段位置データベース３１の内部構造を示した図である。内部構造はテーブルとなっており、路線名（Ａ，Ｂ，Ｃ・・）、駅コード（００１，００２，・・）、駅コード００１の駅からの各駅のキロ程、ホーム（番号）、各ホーム上の階段（番号）、各階段のホーム先頭からの位置、及び方面別の乗換え案内から成る乗換え情報を保持している。具体的には、図７に示すように、ホーム７００には符号７０１及び７０２で示す二つの階段、即ち、階段番号１と階段番号２との階段が設けられている。列車は、例えば車両７１０，７２０から成る２両編成であり、車両７１０においてはドア番号１，３，５のドア７１１，７１２，７１３が示されており、車両７２０においてはドア番号１，３，５のドア７２１，７２２，７２３が示されている。列車がホーム７００に対して正しく停車した場合、階段番号１の階段７０１は、車両７１０のドア番号１のドア７１１とドア番号３のドア７１２との間に、また階段番号２の階段７０２は、車両７２０のドア番号３のドア７２２とドア番号５のドア７２３との間に位置する。
【００１８】
図４は、前述のドア毎の乗換え案内表示の処理ステップをフローチャートに表した図である。先ず、図６に示すように表示器番号１，２，・・，６の各表示器６１０〜６６０に最寄りのドア番号１，２，・・，６を取得する（Ｓ４１０）。次に、図５に示すドア位置データベースから、号車毎のドア番号１，２，・・，６に対応する当該ドアの位置を車両先頭からの距離として検索し（Ｓ４２０）、それをもとに当該ドアのホーム上の現在位置を算出する（Ｓ４３０）。次に図３に示す階段位置データベースから、乗換え階段情報を検索し（Ｓ４４０）、図８に示すような、各ドア上の表示器６１０〜６６０に表示するため、最寄りの乗換え階段についてホーム上に設けられている方向等についての情報を作成し（Ｓ４５０）、図７に示すように各ドア位置に応じて、乗換え階段についての情報を表示器６１０〜６６０に表示する（Ｓ４６０）。
【００１９】
図８は、乗換え階段についての情報を表示部２０内のドアごとの表示器６１０〜６６０に表示する内容の一例を示した図である。本実施形態によれば、各表示器６１０〜６６０に車両全体構成を表示せず、ドア位置毎の固有の駅設備等の駅構内情報のみを表示するため、必要な情報のみ文字サイズ等を大きく表示することで、乗客にとってきめ細かな見やすい表示をすることができる。また、表示部２０には、乗換え階段情報に限らず、駅構内、駅周辺の階段ごとの情報を、ドア位置によって表示内容を限定することにより、車両全体として、きめ細やかに乗客の利便性を向上させる表示を行うこともできる。
【図面の簡単な説明】
【００２０】
【図１】本実施形態に係る列車情報表示システムの機能ブロック図。
【図２】現在位置の認識処理ステップをフローチャートに表した図。
【図３】階段位置データベースの一例を示した図。
【図４】ドアごとの乗換え案内表示処理ステップをフローチャートに表した図。
【図５】ドア位置データベースの一例を示した図。
【図６】各号車でのドアと表示器の対応関係の一例を示した図。
【図７】車両のドアの位置と階段の位置の対応関係の一例を示した図。
【図８】表示部の各表示器に乗換え階段情報を表示した画面の一例を示した図。
【符号の説明】
【００２１】
１０  入力部（入力手段）
２０  表示部（表示手段）
３０  記憶部（記憶手段）
３１  階段位置データベース
３２  ドア位置データベース
４０  現在位置認識部（現在位置認識手段）
４１  位置検出部
４２  速度検出部
５０  制御部（制御手段）
６０  案内表示作成部
６１  ドア位置判定部
６１０，６２０，６３０，６４０，６５０，６６０  表示部
６１１，６２１，６３１，６４１，６５１，６６１  ドア
７００  ホーム
７０１，７０２  階段
７１０，７２０  車両
７１１，７１２，７１３，７２１，７２２，７２３  ドア
【図１】
2007283991.tif 000003
【図２】
2007283991.tif 000004
【図３】
2007283991.tif 000005
【図４】
2007283991.tif 000006
【図５】
2007283991.tif 000007
【図６】
2007283991.tif 000008
【図７】
2007283991.tif 000009
【図８】
2007283991.tif 000010